(57)【要約】【課題】  本発明は浴槽の湯水を循環させる循環パイプに介装された循環ポンプの放熱を、循環パイプを流れる湯水の加熱に利用し、加熱装置の作動頻度の低減を図り、維持コストの低減を図り、経済的に使用することができる２４時間風呂        を得るにある。【解決手段】  浴槽の湯水を少なくとも循環ポンプ、加熱装置が介装された循環パイプで還流させながら、常に入浴適温に保持することができる２４時間風呂において、前記循環ポンプで還流される浴槽の湯水を、該循環ポンプの放熱を用いて加熱することができる循環ポンプ加熱装置を用いて２４時間風呂を構成している。【選択図】  図２
2010223444.tif 000002
【特許請求の範囲】
【請求項１】
浴槽の湯水を少なくとも循環ポンプ、加熱装置が介装された循環パイプで還流させながら、常に入浴適温に保持することができる２４時間風呂において、前記循環ポンプで還流される浴槽の湯水を、該循環ポンプの放熱を用いて加熱することができる循環ポンプ加熱装置を用いたことを特徴とする２４時間風呂。
【請求項２】
循環ポンプ加熱装置は循環パイプに介装された循環ポンプの放熱部に取付けられた熱伝導のよい放熱パイプで構成されていることを特徴とする２４時間風呂。
【請求項３】
循環ポンプ加熱装置は循環ポンプの発熱部を覆うケース体に形成された循環パイプに介装された湯水通過孔であることを特徴とする請求項１記載の２４時間風呂。
【発明の詳細な説明】
【技術分野】
【０００１】
本発明は浴槽の湯水を循環パイプで循環させながら、常に入浴適温に保持することができる２４時間風呂に関する。
【背景技術】
【０００２】
従来、２４時間風呂は浴槽の湯水を循環ポンプ、加熱装置、殺菌処理装置を介装した循環パイプで循環させながら、常に入浴適温に保持するように構成されている。
【０００３】
このため、水の使用量が大幅に軽減できるが、循環ポンプが常に駆動した状態となるとともに、加熱装置の作動頻度も高く、エネルギーの使用量が多くかかり、維持コストが高くなり、経済的でないという欠点があった。
【先行技術文献】
【特許文献】
【０００４】
【特許文献１】特開平１１−１９６３７
【特許文献２】特開平１１−２１６４７７
【発明の概要】
【発明が解決しようとする課題】
【０００５】
本発明は以上のような従来の欠点に鑑み、浴槽の湯水を循環させる循環パイプに介装された循環ポンプの放熱を、循環パイプを流れる湯水の加熱に利用し、加熱装置の作動頻度の低減を図り、維持コストの低減を図り、経済的に使用することができる２４時間風呂を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は浴槽の湯水を少なくとも循環ポンプ、加熱装置が介装された循環パイプで還流させながら、常に入浴適温に保持することができる２４時間風呂において、前記循環ポンプで還流される浴槽の湯水を、該循環ポンプの放熱を用いて加熱することができる循環ポンプ加熱装置を用いて２４時間風呂を構成している。
【発明の効果】
【０００８】
以上の説明から明らかなように、本発明にあっては次に列挙する効果が得られる。
【０００９】
（１）循環ポンプ加熱装置で、夏場等は４０〜５０度近くもなる循環ポンプの放熱を、循環パイプで循環される浴槽の湯水の加熱に利用することができる。
したがって、循環パイプに介装されている加熱装置の作動頻度の低減を図り、維持コストの低減により経済的に使用することができる。
【００１０】
（２）前記（１）により、循環ポンプの放熱により、循環パイプを流れる湯水を加熱できるように循環ポンプ加熱装置を設置するだけでよく、容易に実施することができる。
【００１１】
（３）請求項２も前記（１）、（２）と同様な効果が得られるとともに、循環ポンプ加熱装置が簡単で、安価に取付けることができる。
【００１２】
（４）請求項３も前記（１）、（２）と同様な効果が得られる。
【図面の簡単な説明】
【００１３】
【図１】本発明を実施するための第１の形態の概略説明図。
【図２】２４時間風呂本体の説明図。
【図３】本発明を実施するための第１の形態の循環ポンプの平面図。
【図４】本発明を実施するための第１の形態の循環ポンプの側面図。
【図５】本発明を実施するための第２の形態の概略説明図。
【図６】本発明を実施するための第２の形態の２４時間風呂本体の説明図。
【図７】本発明を実施するための第２の形態の循環ポンプの説明図。
【図８】本発明を実施するための第３の形態の概略説明図。
【図９】本発明を実施するための第３の形態の２４時間風呂本体の説明図。
【図１０】本発明を実施するための第３の形態の加熱装置の説明図。
【発明を実施するための形態】
【００１４】
以下、図面に示す本発明を実施するための形態により、本発明を詳細に説明する。
【００１５】
図１ないし図４に示す本発明を実施するための第１の形態において、１は浴槽２の湯水３を常に入浴適温に保持することができる本発明の２４時間風呂で、この２４時間風呂１は浴槽２と、この浴槽２内の湯水３を常に入浴適温に保持できるように循環させる２４時間風呂本体４とで構成されている。
【００１６】
前記２４時間風呂本体４は床面や壁面に設置することができるケース体５と、このケース体５より前記浴槽２内に両端部が挿入される吸引パイプ６、排出パイプ７とからなる循環パイプ８と、前記ケース体５内の循環パイプ８に介装されたフィルタ９、循環ポンプの放熱で加熱される循環ポンプ加熱装置１０が設けられた循環ポンプ１１、加熱装置としてのヒータ１２および、前記循環ポンプ１１の下流の循環パイプ８を流れる湯水の温度を温度センサー１３で測定し、一定温度以下の場合にのみ前記加熱装置としてのヒータ１２を作動させる制御装置１４とで構成されている。
【００１７】
前記循環ポンプ１１は循環ポンプ本体１５と、この循環ポンプ本体１５の放熱部１６に固定された熱伝導のよい材質で形成された放熱パイプ取付部材１７、１７と、この放熱パイプ取付部材１７、１７に密着状態で固定された熱伝導のよい材質で形成された両端部が前記ケース体５内の循環パイプ８に接続された放熱パイプ１８とで構成されている。
【００１８】
上記構成の２４時間風呂１は浴室内に設置されている湯水供給装置１９で、浴槽２内に入浴適温の湯水をはる。
しかる後、２４時間風呂本体４の循環ポンプ１１を駆動させて、浴槽２内の湯水を循環パイプ８の吸引パイプ６で吸引し、排出パイプ７で浴槽２内へ排出するように還流させる。
この循環パイプ８を還流する時に、湯水に含まれているゴミはフィルタ９で除去するとともに、吸引パイプ６で吸引される湯水は、循環ポンプ加熱装置１０で循環ポンプ１１の駆動による発熱で加熱され、制御装置１４、加熱装置としてのヒータ１２を通過して排出パイプ７で浴槽２内へ戻される。
なお、夏場の周囲の温度が高い時には、循環ポンプ１１が４０〜５０度に加熱されるため、循環ポンプ加熱装置１０の湯水の加熱だけで十分な場合がある。
また、周囲の温度が低い場合には、循環ポンプ加熱装置１０を通過した湯水の温度が低いと、制御装置１４によって加熱装置としてのヒータ１２が作動して、該ヒータ１２で湯水を加熱し、浴槽２へ戻す。
すなわち、循環パイプ８を流れる湯水の温度によって、制御装置１４によって加熱装置としてのヒータ１２がＯＮ、ＯＦＦして、浴槽２内の湯水の温度を常に入浴適温に保つことができる。
[発明を実施するための異なる形態]
【００１９】
次に、図５ないし図１０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図５ないし図７に示す本発明を実施するための第２の形態において、前記本発明を実施するための第１の形態と主に異なる点は、発熱部分のケース体２０にウォータジャケットとしての湯水通過孔２１を形成した循環ポンプ加熱装置１０Ａを備えた循環ポンプ１１Ａを用いた点で、このような循環ポンプ１１Ａを用いて構成した２４時間風呂１Ａにしても、前記本発明を実施するための第１の形態と同様な作用効果が得られる。
【００２１】
図８ないし図１０に示す本発明を実施するための第３の形態において、前記本発明を実施するための第１の形態と主に異なる点は、２４時間風呂本体４内の循環ポンプ１１の下流の循環パイプ８を、燃焼ガスを用いた燃焼機器２２で加熱できるようにした加熱装置２３を用いた点で、このような加熱装置２３を用いて構成した２４時間風呂１Ｂにしても、前記本発明を実施するための第１の形態と同様な作用効果が得られる。
【００２２】
なお、循環ポンプ１１の放熱を利用して湯水を加熱する循環ポンプ加熱装置１０、１０Ａは、前記本発明を実施するための形態以外に、循環ポンプ１１の放熱を利用できるように、循環ポンプ１１のケース体部分を覆えるウォータジャケットや、ケース体部分を覆って、内部に熱伝導のよい螺旋パイプを設けたものであってもよい。
【産業上の利用可能性】
【００２３】
本発明は２４時間風呂を製造する産業で利用される。
【符号の説明】
【００２４】
１、１Ａ、１Ｂ：２４時間風呂、２：浴槽、
３：湯水、                    ４：２４時間風呂本体、
５：ケース体、                ６：吸引パイプ、
７：排出パイプ、              ８：循環パイプ、
９：フィルタ            、                １０、１０Ａ：循環ポンプ加熱装置、
１１、１１Ａ：循環ポンプ、    １２：加熱装置としてのヒータ、
１３：温度センサー、          １４：制御装置、
１５：循環ポンプ本体、        １６：放熱部、
１７：放熱パイプ取付部材、    １８：放熱パイプ、
１９：湯水供給装置、          ２０：ケース体、
２１：湯水通過孔、            ２２：燃焼機器、
２３：加熱装置。
【図１】
2010223444.tif 000003
【図２】
2010223444.tif 000004
【図３】
2010223444.tif 000005
【図４】
2010223444.tif 000006
【図５】
2010223444.tif 000007
【図６】
2010223444.tif 000008
【図７】
2010223444.tif 000009
【図８】
2010223444.tif 000010
【図９】
2010223444.tif 000011
【図１０】
2010223444.tif 000012